(57)【特許請求の範囲】
【請求項１】
画像情報に基づいてインク滴を画像記録媒体に吐出する記録ヘッドユニットをキャリッジの所定位置に固定するための記録ヘッドユニット固定構造であって、
前記キャリッジに設けられ前記記録ヘッドユニットを収容する収容部と、
前記キャリッジに設けられ前記記録ヘッドユニットを上下方向に位置決めする基準突起が形成された底壁と、
前記底壁から下方に向けて取り付けられて前記記録ヘッドユニットを付勢する付勢部材と、
前記底壁から下方に向けて形成された包囲壁と、
前記包囲壁に前記付勢部材と対向して設けられ付勢部材に付勢された前記記録ヘッドユニットが接触して位置基準となり、記録ヘッドユニットを付勢部材との間で挟持する基準部材と、
を有することを特徴とする記録ヘッドユニット固定構造。
【請求項２】
前記キャリッジに設けられ、前記記録ヘッドユニットが前記収容部の所定位置に収容された状態で記録ヘッドユニットをキャリッジに対して固定する固定部材、
を有することを特徴とする請求項１に記載の記録ヘッドユニット固定構造。
【請求項３】
前記固定部材が、前記キャリッジに対して回動可能に取り付けられ回動動作により前記記録ヘッドユニットを収容部内へと押圧する回動部材、
とされていることを特徴とする請求項２に記載の記録ヘッドユニット固定構造。
【請求項４】
回動部材に設けられ、この回動部材によって前記記録ヘッドユニットが前記収容部の所定位置に至った状態で記録ヘッドユニットと係合する係合部、
を有することを特徴とする請求項３に記載の記録ヘッドユニット固定構造。
【請求項５】
記録ヘッドユニットを収容可能な収容部を備えたキャリッジと、
前記収容部に請求項１〜請求項４のいずれかに記載の記録ヘッドユニット固定構造によって固定され、画像情報に基づいてインク滴を画像記録媒体に吐出する記録ヘッドユニットと、
を有することを特徴とするキャリッジ装置。
【請求項６】
請求項５に記載のキャリッジ装置を有することを特徴とするインクジェット記録装置。
【発明の詳細な説明】
【０００１】
【発明の属する技術分野】
本発明は、記録ヘッドユニット固定構造、キャリッジ装置及びインクジェット記録装置に関し、さらに詳しくは、画像情報に基づいてインク滴を画像記録媒体に吐出する記録ヘッドユニットをキャリッジの所定位置に固定するための記録ヘッドユニット固定構造と、この記録ヘッドユニット固定構造によってキャリッジに記録ヘッドユニットが固定されたキャリッジ装置、及びこのキャリッジ装置を備えたインクジェット記録装置に関する。
【０００２】
【従来の技術】
画像情報に応じてインクジェット記録ヘッドからインク滴を記録媒体に吐出して画像記録を行うインクジェット記録装置では、インクジェット記録ヘッドを搭載すると共に、一定方向（主走査方向）へと移動するキャリッジを備えたものが多い。このようなインクジェット記録装置では、インクジェット記録ヘッドをキャリッジに対して正確に位置決めして固定する必要がある。特に、複数のインクジェット記録ヘッドから異なる色のインク滴を吐出するインクジェット記録装置（例えば、ブラック（Ｂｋ）、シアン（Ｃ）、マゼンタ（Ｍ）及びイエロー（Ｙ）のインク滴を吐出してフルカラーの画像を記録するもの）等では、それぞれのインクジェット記録ヘッドをキャリッジの所定位置へ正確に位置決めして固定しないと、いわゆる色ずれが発生し、画質を損なってしまうことになる。
【０００３】
また、最近では、いわゆるスループット（単位時間当たりの画像記録能力）を向上させるために、インクジェット記録ヘッドの主走査方向の走査速度を向上させたり、定常速度に達するまでの加速度を向上させたりする等の提案がされている。これらにより、インクジェット記録ヘッドには、より大きな力（慣性力や、インクジェット記録装置に生じる振動等）が作用するため、インクジェット記録ヘッドをキャリッジに強固に固定し、位置ずれを防止する必要が生じる。
【０００４】
例えば、図１３及び図１４に示すキャリッジ１１２（特開平８―２４４２３０号公報参照）では、側壁１１４、１１６にばね部材１１８、１２０が取り付けられている。ペン（インクジェット記録ヘッドのユニット）が収容部１２２、１２４に収容されると、これらのばね部材１１８、１２０が、主壁１２６に設けられたデータム１２８に向かってペンを押すことで、ペンのＸ方向への位置合わせがされるようになっている。
【０００５】
しかし、ばね部材１１８、１２０は側壁１１４、１１６の上部に取り付けられているので、ペンを収容部１２２、１２４に収容するときに収容動作の初期段階でばね部材１１８、１２０からの弾性力が作用してしまう。
【０００６】
【発明が解決しようとする課題】
本発明は、上記事実を考慮し、インクジェット記録ヘッドをキャリッジに対して容易に位置決めして固定できるインクジェット記録ヘッド固定構造と、このインクジェット記録ヘッド固定構造によってキャリッジにインクジェット記録ヘッドが固定されたキャリッジ装置、及びこのキャリッジ装置を備えたインクジェット記録装置を得ることを課題とする。
【０００７】
【課題を解決するための手段】
請求項１に記載の発明では、画像情報に基づいてインク滴を画像記録媒体に吐出する記録ヘッドユニットをキャリッジの所定位置に固定するための記録ヘッドユニット固定構造であって、前記キャリッジに設けられ前記記録ヘッドユニットを収容する収容部と、前記キャリッジに設けられ前記記録ヘッドユニットを上下方向に位置決めする基準突起が形成された底壁と、前記底壁から下方に向けて取り付けられて前記記録ヘッドユニットを付勢する付勢部材と、前記底壁から下方に向けて形成された包囲壁と、前記包囲壁に前記付勢部材と対向して設けられ付勢部材に付勢された前記記録ヘッドユニットが接触して位置基準となり、記録ヘッドユニットを付勢部材との間で挟持する基準部材と、を有することを特徴とする。
【０００８】
キャリッジに設けられた収容部に記録ヘッドユニットを収容すると、底壁に形成された基準突起によって記録ヘッドユニットが上下方向に位置決めされる。また、底壁から下方に向けて取り付けられた付勢部材が記録ヘッドユニットを付勢し、付勢された記録ヘッドユニットは付勢部材と基準部材との間で位置決めされて挟持される。基準部材は、底壁から下方に向けて形成された包囲壁に設けられており、収容途中の状態では接触しない。
【０００９】
このように、記録ヘッドユニットが収容部に収容された状態で、付勢部材と基準部材との間で挟持することで、キャリッジに対して固定することができる。
【００１０】
付勢部材は、底壁から下方に向けて取り付けられているので、付勢部材の付勢力は、記録ヘッドユニットを収容部に収容する動作の最終段階でのみ作用し、それ以外の段階では作用しない。このため、記録ヘッドユニットをキャリッジの収容部の所定位置に収容する動作が容易になり、キャリッジに対して容易に位置決めして固定できる。特に、付勢部材の付勢力を大きくしても、記録ヘッドユニットをキャリッジの収容部に対して容易に収容できるので、付勢力の大きな付勢部材を使用して、記録ヘッドユニットをキャリッジに強固に固定することが可能になる。
【００１２】
請求項２に記載の発明では、請求項１に記載の発明において、前記キャリッジに設けられ、前記記録ヘッドユニットが前記収容部の所定位置に収容された状態で記録ヘッドユニットをキャリッジに対して固定する固定部材、を有することを特徴とする。
【００１３】
固定部材により、記録ヘッドユニットをキャリッジに対して所定位置で固定できるので、記録ヘッドユニットのキャリッジに対する位置ずれや脱落を確実に防止できる。
【００１４】
請求項３に記載の発明では、請求項２に記載の発明において、前記固定部材が、前記キャリッジに対して回動可能に取り付けられ回動動作により前記記録ヘッドユニットを収容部内へと押圧する回動部材、とされていることを特徴とする。
【００１５】
従って、回動部材を回動させるだけの簡単な操作で、記録ヘッドユニットを収容部内へと押圧して収容させることができる。
【００１６】
請求項４に記載の発明では、請求項３に記載の発明において、回動部材に設けられ、この回動部材によって前記記録ヘッドユニットが前記収容部の所定位置に至った状態で記録ヘッドユニットと係合する係合部、を有することを特徴とする。
【００１７】
すなわち、記録ヘッドユニットが収容部の所定位置に至ると、回動部材に設けられた係合部が記録ヘッドユニットと係合し、回動部材と記録ヘッドユニットとは不用意に位置ずれしたり離間したりしなくなる。このため、記録ヘッドユニットがキャリッジの所定位置で、より確実に固定される。
【００１８】
請求項５に記載の発明では、記録ヘッドユニットを収容可能な収容部を備えたキャリッジと、前記収容部に請求項１〜請求項４のいずれかに記載の記録ヘッドユニット固定構造によって固定され、画像情報に基づいてインク滴を画像記録媒体に吐出する記録ヘッドユニットと、を有することを特徴とする。
【００１９】
すなわち、キャリッジの収容部に記録ヘッドユニットが固定されることで、キャリッジ装置が構成される。このキャリッジ装置を備えたインクジェット記録装置では、キャリッジ装置を主走査方向に移動させながら、記録ヘッドユニットからインク滴を吐出し、記録媒体に画像を記録する。
【００２０】
記録ヘッドユニットは、請求項１〜請求項４のいずれかに記載の記録ヘッドユニット固定構造によってキャリッジに固定されているので、正確な位置で強固に固定される。このため、記録ヘッドユニットの位置ずれが発生せず、常に色ずれなどのない高画質の画像を記録することができる。
【００２１】
また、記録ヘッドユニットをキャリッジの収容部に収容して所定位置に固定する作業も容易となる。
【００２２】
請求項６に記載の発明では、請求項５に記載のキャリッジ装置を有することを特徴とする。
【００２３】
このインクジェット記録装置では、請求項５に記載のキャリッジ装置を有しており、記録ヘッドユニットが正確な位置で強固にキャリッジに固定されている。従って、記録ヘッドユニットの位置ずれが発生せず、常に色ずれなどのない高画質の画像を記録することができる。
【００２４】
【発明の実施の形態】
図１には、本発明の一実施形態に係るインクジェット記録装置１２が示されている。また、図２〜図１１には、本発明の一実施形態の記録ヘッドユニット固定構造によって、インクジェット記録ヘッド１６がキャリッジ１８に固定されることで構成されたキャリッジ装置１４が示されている。なお、図２〜図６では、図示の便宜上、キャリッジ１８に対して一部のインクジェット記録ヘッド１６が装填されていない状態を示しているが、キャリッジ装置１４の実際の使用状況では、すべてのインクジェット記録ヘッド１６が装填される。
【００２５】
図１から分かるように、インクジェット記録装置１２は、その下部に記録媒体カセット２０が設けられている。記録媒体カセット２０には、記録媒体２２（例えば記録用紙やＯＨＰシート等）が積層状態で収容されると共に、記録媒体２２を取り出すためのピックアップローラ２４が設けられている。
【００２６】
また、インクジェット記録装置１２内には、記録媒体２２を記録部２６（インクジェット記録ヘッド１６の下方位置）へと案内する案内プレート２８と、記録媒体２２を搬送する搬送ローラ３０、及びプラテン３２が設けられている。記録媒体カセット２０内の記録媒体２２は、ピックアップローラ２４によって記録媒体カセット２０から取り出され、さらに案内プレート２８に案内されつつ、搬送ローラ３０によってプラテン３２上の記録部２６へと搬送される。
【００２７】
インクジェット記録装置１２には、記録部２６での記録媒体２２の搬送方向（矢印Ｙ方向、図１では左方向）と直交するように、シャフト３４が掛け渡されている。シャフト３４は、キャリッジ１８の挿通孔３６に挿通されており、キャリッジ１８は挿通孔３６に沿って移動（主走査）する。従って、記録部２６において、インクジェット記録ヘッド１６が画像情報に応じてインク滴を吐出しつつ主走査し、さらに１回の主走査が終了するごと搬送ローラ３０が記録媒体２２を所定量だけ搬送（副走査）することで、記録媒体２２上に画像が記録される。以下の説明では、主走査方向の図２〜図６に向かって右向きをプラス（＋）Ｘ方向、副走査方向をプラス（＋）Ｙ方向、上方向をプラス（＋）Ｚ方向として区別する。
【００２８】
図２〜図６に示すように、本実施形態では、キャリッジ１８に４つのインクジェット記録ヘッド１６が装填されるようになっている。インクジェット記録ヘッド１６ごとに、例えば、ブラック（Ｂｋ）、シアン（Ｃ）、マゼンタ（Ｍ）及びイエロー（Ｙ）の各色のインク滴を吐出するように構成することで、いわいるフルカラーの画像を記録することができる。
【００２９】
インクジェット記録ヘッド１６は、記録媒体２２にインク滴を吐出するヘッド部３８と、このヘッド部３８から吐出されるインクが予め貯留されたサブインクタンク部４０と、を有している。サブインクタンク部４０のインクが所定量以下に減少すると、インク補給装置によってメインインクタンク（いずれも図示省略）からインクが補給される。
【００３０】
キャリッジ１８には、壁４２（側壁４２Ｓ及び仕切り壁４２Ｄ）によって、４つのインクジェット記録ヘッド１６に対応した４つの収容部４４が構成されている。キャリッジ１８の底壁４６には、ヘッド部３８のそれぞれに対応する開口４８が形成され、さらに開口４８の周囲の底壁４６から下方に向けて、包囲壁５０が形成されている。図９及び図１０に示すように、インクジェット記録ヘッド１６が収容部４４の所定位置に装填されると、ヘッド部３８が開口４８から下方に突出する。突出したヘッド部３８は、包囲壁５０によって包囲される。
【００３１】
キャリッジ１８の上部には、４つの収容部４４のそれぞれに対応するレバー５２が設けられている。それぞれのレバー５２は、シャフト５４を中心として、独立して回動可能とされており、ユーザーが把持部５２Ｈを把持してシャフト５４を回動させることができるようになっている。
【００３２】
図５〜図１１に示すように、包囲壁５０には、収容部４４内に向かって（すなわち＋Ｘ方向に）突出する位置決め突起５６が形成されている。それぞれの位置決め突起５６の先端面は基準面５６Ｓとされており、所定位置に装填されたインクジェット記録ヘッド１６のヘッド部３８の側面に接触して、インクジェット記録ヘッド１６を主走査方向に位置決めする。さらに、基準面５６Ｓの上方には斜めに傾斜する案内面５６Ｇが形成されており、インクジェット記録ヘッド１６が装填されるときにインクジェット記録ヘッド１６の側面１６Ｓに接触して、インクジェット記録ヘッド１６を＋Ｘ方向へと案内するようになっている。
【００３３】
また、それぞれの位置決め突起５６に対向する位置には、板ばね５８が位置決めされて取り付けられている。板ばね５８は、取り付け状態では、斜め下方に向かうように片持ち状に支持され、位置決め突起５６の近傍に位置している。このため、収容部４４にインクジェット記録ヘッド１６を収容するときには、収容動作の最終段階で、インクジェット記録ヘッド１６が板ばね５８に接触する。
【００３４】
一方、レバー５２のそれぞれには、図２〜図５及び図７〜図１１に示すように、側壁６０が形成され、これら側壁６０の間に、カム６２が配設されている。図７〜図１１から分かるように、カム６２の一端に形成された軸部材６４が、側壁６０の対向面に形成された軸受部材６６に収容されており、カム６２は軸部材６４を中心として回動可能となっている。
【００３５】
また、カム６２の他端には、制限凸部６８が形成されている。制限凸部６８は、レバー５２の側壁６０に形成された制限リブ７０内に位置しており、カム６２の回動範囲を、制限凸部６８が制限リブ７０に当たることで一定範囲内（図７に示す位置）に制限している。
【００３６】
レバー５２及びカム６２の対向面には、収容凹部７２が形成されており、この収容凹部７２に、圧縮コイルばね７４が収容されている。圧縮コイルばね７４は、カム６２をレバー５２から離間する方向（矢印Ｃ２方向）へと付勢しており、この付勢力を受けたレバー５２の回動が、前述のように制限凸部６８と制限リブ７０との接触により一定範囲に制限される。
【００３７】
なお、圧縮コイルばね７４の位置は、レバー５２が回動範囲の中間（図９に示す位置）となったときに最も伸ばされ（従って不安定な状態となる）、これよりも矢印Ｌ１方向又は矢印Ｌ２方向にわずかでもレバー５２を回動させると、圧縮コイルばね７４の弾性力によってこれらの回動が付勢されるように、シャフト５４の位置等との関係を考慮して、所定の位置とされている。
【００３８】
カム６２の底面（レバー５２と対向する反対の面）には、突起７６が形成されている。また、インクジェット記録ヘッド１６の上面１６Ｕ（サブインクタンク部４０の上面）には、突起７６に対応する突起７８が形成されている。図７に示すように、インクジェット記録ヘッド１６を収容部４４内にセットした状態（所定位置までは押し込まれておらず、単に斜めに載せられているだけの状態）においてレバー５２を矢印Ｌ１方向に回動させると、図８に示すように、突起７６がインクジェット記録ヘッド１６の上面１６Ｕに接触する。ここで、圧縮コイルばね７４の弾性力に抗してさらにレバー５２を回動させると、突起７６がインクジェット記録ヘッド１６の上面１６Ｕを摺動しつつインクジェット記録ヘッド１６を下方に押圧し、図９から図１０に示すように、インクジェット記録ヘッド１６は収容部４４内の所定位置に至るようになっている。
【００３９】
カム６２の突起７６には、＋Ｘ方向（主走査方向）、−Ｙ方向（副走査方向）及び−Ｚ方向（下方向）の３方向に傾斜した位置決め傾斜面７６Ｄが形成されている。これに対し、インクジェット記録ヘッド１６の突起７８には、インクジェット記録ヘッド１６が収容部４４内の所定位置に収容された状態で、位置決め傾斜面７６Ｄに面接触する基準傾斜面７８Ｓが形成されている。
【００４０】
図１０に示すようにインクジェット記録ヘッド１６が収容部４４内の所定位置に至ったとき、位置決め傾斜面７６Ｄと基準傾斜面７８Ｓとが接触するため、圧縮コイルばね７４の弾性力が、位置決め傾斜面７６Ｄから基準傾斜面７８Ｓへと作用し、インクジェット記録ヘッド１６を、＋Ｘ方向、−Ｙ方向及び−Ｚ方向へと押圧する。
【００４１】
図７〜図１１に示すように、キャリッジ１８の底壁４６には、それぞれの収容部４４ごとに、上方（＋Ｚ方向）に向かう基準突起８０が形成され、その上面が基準面８０Ｓとされている。また、キャリッジ１８の後壁８２にも、それぞれの収容部４４ごとに、前方（＋Ｙ方向）へ向かう基準突起８４が形成され、その前面が基準面８４Ｓとされている。加えて、サブインクタンク部４０の側面には、側方（−Ｘ方向）へと突出する基準突起８６が形成され、その先端が基準面８６Ｓとされている。
【００４２】
このため、圧縮コイルばね７４の弾性力を受けてインクジェット記録ヘッド１６が＋Ｘ方向、−Ｙ方向及び−Ｚ方向へと押圧されると、サブインクタンク部４０の底面が基準突起８０の基準面８０Ｓに接触して、インクジェット記録ヘッド１６が上下方向に位置決めされると共に固定される。また、サブインクタンク部４０の後面が基準突起８４の基準面８４Ｓに接触して、インクジェット記録ヘッド１６が副走査方向に位置決めされると共に固定される。さらに、サブインクタンク部４０の基準突起８６の基準面８６Ｓが壁４２に接触して、主走査方向に位置決めされると共に固定される。
【００４３】
加えて、包囲壁５０の前壁には基準突起８８が形成され、その後面は基準面８８Ｓとされている。また、キャリッジ１８の後壁８２には、装填されたインクジェット記録ヘッド１６に対しハーネスを電気的に接続するためのコネクタ９０が設けられている。コネクタ９０のピン９２は、インクジェット記録ヘッド１６に接続されると、インクジェット記録ヘッド１６を＋Ｙ方向へと付勢するように、所定の弾性を有している。この弾性力を受けたインクジェット記録ヘッド１６が、基準面８８Ｓに接触して位置決めされると共に固定される。
【００４４】
図２〜図４及び図７〜図１１に示すように、レバー５２の側壁６０の一方は下方に延長されて延長部９４が形成され、さらに延長部９４に、係合突起９６が形成されている。一方、インクジェット記録ヘッド１６の側面にも、係合突起９６に対応する係合突起９８が形成されている。
【００４５】
図１２に詳細に示すように、係合突起９６及び係合突起９８にはそれぞれテーパー面９６Ｔ、９８Ｔと、係合面９６Ｆ、９８Ｆが形成されており、レバー５２を矢印Ｌ１方向に回動させると、図１２（Ｂ）に二点鎖線で示すように、テーパー面９６Ｔ、９８Ｔどうしが接触する。ここで、レバー５２を矢印Ｌ１方向にさらに押すと、図１２（Ｂ）に実線で示すように、延長部９４が弾性的に撓むため、さらにレバー５２を回動可能となる。そして、レバー５２が略水平になると、図１２（Ｃ）に示すように、係合突起９６が係合突起９８の奥まで入り込んで延長部９４が弾性的に復元し、係合面９６Ｆ、９８Ｆが係合する。この状態では、レバー５２を矢印Ｌ２方向へ回動させようとしても、係合面９６Ｆが係合面９８Ｆに接触するため回動の抵抗となる。これに抗して、レバー５２を矢印Ｌ２方向へ回動させると、係合面９６Ｆ、９８Ｆの係合によって、インクジェット記録ヘッド１６が斜め上方への力を受ける。そして、図１１に示すように、収容部４４内の所定位置から、基準面８８Ｓの近傍位置を略回動中心として回動し、ユーザーが容易に取り出し可能な位置までせり出す。
【００４６】
次に、本実施形態においてインクジェット記録ヘッド１６をキャリッジ１８に装填する方法と、キャリッジ装置１４及びインクジェット記録装置１２の作用を説明する。
【００４７】
インクジェット記録ヘッド１６をキャリッジ１８に装填する場合、まず、図７に示すように、レバー５２を矢印Ｌ２方向に回動させて収容部４４の上方を開放した状態で、収容部４４に対応するインクジェット記録ヘッド１６を置く。このとき、収容部４４内の所定位置までインクジェット記録ヘッド１６を押し入れる必要はなく、図７から分かるように、インクジェット記録ヘッド１６が斜めとなる程度に載せ置くだけでよい。
【００４８】
次に、レバー５２を矢印Ｌ１方向に回動させる。図８に示すように、カム６２の突起７６がインクジェット記録ヘッド１６の上面１６Ｕに接触し、突起７６は上面１６Ｕを摺動しつつ、インクジェット記録ヘッド１６を下方へと押圧する。回動途中で、図１２（Ｂ）に示すように、係合突起９６、９８のテーパー面９６Ｔ、９８Ｔどうしが接触するため回動に抵抗が生じるが、レバー５２の側壁６０（延長部９４）が撓むので、図９に示すように、さらにインクジェット記録ヘッド１６を収容部４４の所定位置へと押圧しつつ、レバー５２を回動させることができる。
【００４９】
図１０に示すように、レバー５２が略水平になると、カム６２の突起７６に形成された位置決め傾斜面７６Ｄと、インクジェット記録ヘッド１６の突起７８に形成された基準傾斜面７８Ｄとが面接触し、圧縮コイルばね７４の弾性力が、＋Ｘ方向、−Ｙ方向及び−Ｚ方向へと作用する。また、サブインクタンク部４０の底面が基準突起８０の基準面８０Ｓに、サブインクタンク部４０の後面が基準突起８４の基準面８４Ｓにそれぞれ接触し、さらに、サブインクタンク部４０の側面の基準突起８６の基準面８６Ｓが壁４２に接触する。これらにより、インクジェット記録ヘッド１６が主走査方向、副走査方向及び上下方向のいずれの方向にも正確に位置決めされて固定される。
【００５０】
また、コネクタ９０のピン９２がインクジェット記録ヘッド１６に接続されると、ピン９２からの弾性力により、インクジェット記録ヘッド１６が、基準面８８Ｓに接触して、副走査方向に位置決めされ固定される。
【００５１】
さらに、板ばね５８がインクジェット記録ヘッド１６のヘッド部３８に側方から接触して押圧するので、ヘッド部３８が位置決め突起５６に接触し、インクジェット記録ヘッド１６はその下部においても、主走査方向に位置決めされる。これらにより、インクジェット記録ヘッド１６が収容部４４内において所定位置に正確に位置決めされた状態で、強固に固定されることになる。
【００５２】
しかも、インクジェット記録ヘッド１６をキャリッジ１６に位置決めして固定する動作の最終段階で、板ばね５８の弾性力が作用するので、装填作業が容易になる。
【００５３】
また、レバー５２が略水平になった状態では、図１２（Ｃ）に示すように、係合突起９６、９８の係合面９６Ｆ、９８Ｆが係合するので、不用意にレバー５２が矢印Ｌ２方向に回動することはなくなる。さらに、この状態では、圧縮コイルばね７４の弾性力を受けて、レバー５２が矢印Ｌ１方向に付勢されている。これによっても、レバー５２の矢印Ｌ２方向への不用意な回動が制限される。
【００５４】
このようにして、簡単な操作（実質的に、レバー５２を回動させるのみ）により、キャリッジ１８に対しインクジェット記録ヘッド１６を正確に位置決めして固定し、本発明のキャリッジ装置１４を構成することができる。図１に示すように、キャリッジ装置１４が搭載されたインクジェット記録ヘッド１６を使用して記録媒体２２に画像を記録する場合には、各色のインクジェット記録ヘッド１６が所定位置で正確に位置決めされていることになるので、いわゆる色ずれ等が発生せず、高画質の画像を記録することができる。また、それぞれのインクジェット記録ヘッド１６はキャリッジ１８に対して強固に固定されるため、例えば、いわゆるスループット向上等のためにキャリッジ１８の移動速度を高めたり、加速度を向上させたりした場合でも、インクジェット記録ヘッド１６がキャリッジ１８に対して不用意に位置ずれすることはない。
【００５５】
インクジェット記録装置１２の使用により、インクジェット記録ヘッド１６を交換する必要が生じる場合がある。この場合には、交換するインクジェット記録ヘッド１６に対応するレバー５２を矢印Ｌ２方向に回動させると、係合面９６Ｆ、９８Ｆの係合によって、インクジェット記録ヘッド１６が斜め上方への力を受け、収容部４４内の所定位置から、基準面８８Ｓの近傍位置を略回動中心として回動し、ユーザーが容易に取り出し可能な位置までせり出す。従って、交換すべきインクジェット記録ヘッド１６を容易に取り出すことができ、交換作業が容易になる。
【００５６】
また、レバー５２は、４つのインクジェット記録ヘッド１６ごとに設けられ、それぞれ独立して回動させることができる。このため、例えば主走査方向中間に位置するインクジェット記録ヘッド１６を交換する場合に、対応するレバー５２のみを矢印Ｌ２方向へ回動させれば、交換すべきインクジェット記録ヘッド１６のみが、他のインクジェット記録ヘッド１６から斜め上方に突出するので、中間のインクジェット記録ヘッド１６の交換であっても容易に行うことができる。特に、近年ではインクジェット記録ヘッド１６が小型化されていたり、互いに密着して配置されていたりする構成のものがあるが、このような構成であっても、特定のインクジェット記録ヘッド１６を容易に取り出すことができる。もちろん、インクジェット記録ヘッド１６が４つの構成だけでなく、３つあるいは５つ以上の構成でも、中間に位置するインクジェット記録ヘッド１６の交換が容易になる。
【００５７】
なお、上記説明では、インクジェット記録ヘッド１６がヘッド部３８とサブインクタンク部４０とを有する構成ものを例として挙げたが、インクジェット記録ヘッド１６としては、サブインクタンク部４０を有している必要はなく、ヘッド部３８のみで構成されているものであってもよい。
【００５８】
【発明の効果】
本発明では、上記構成としたので、インクジェット記録ヘッドをキャリッジに対して容易に位置決めして固定できる。
【図面の簡単な説明】
【図１】  本発明の一実施形態のインクジェット記録装置の概略構成を示す側面図である。
【図２】  本発明の一実施形態のキャリッジ装置を一部のインクジェット記録ヘッドをキャリッジから取り出した状態で示す斜視図である。
【図３】  本発明の一実施形態のキャリッジ装置を一部のインクジェット記録ヘッドをキャリッジから取り出した状態で示す斜視図である。
【図４】  本発明の一実施形態のキャリッジ装置を一部のインクジェット記録ヘッドをキャリッジから取り出した状態で示す斜視図である。
【図５】  本発明の一実施形態のキャリッジ装置を一部のインクジェット記録ヘッドをキャリッジから取り出した状態で示す斜視図である。
【図６】  本発明の一実施形態のキャリッジ装置を一部のインクジェット記録ヘッドをキャリッジから取り出した状態で示す平面図である。
【図７】  本発明の一実施形態のキャリッジ装置においてキャリッジにインクジェット記録ヘッドを装填する状態を示す一部破断側面図である。
【図８】  本発明の一実施形態のキャリッジ装置においてキャリッジにインクジェット記録ヘッドを装填する状態を示す一部破断側面図である。
【図９】  本発明の一実施形態のキャリッジ装置においてキャリッジにインクジェット記録ヘッドを装填する状態を示す一部破断側面図である。
【図１０】  本発明の一実施形態のキャリッジ装置においてキャリッジにインクジェット記録ヘッドを装填した状態を示す一部破断側面図である。
【図１１】  本発明の一実施形態のキャリッジ装置においてキャリッジからインクジェット記録ヘッドを取り出す状態を示す一部破断側面図である。
【図１２】  本発明の一実施形態のキャリッジ装置において係合突起どうしが係合する状態を（Ａ）から（Ｃ）へと順に示す説明図である。
【図１３】  従来のキャリッジを示す斜視図である。
【図１４】  従来のキャリッジを示す斜視図である。
【符号の説明】
１２    インクジェット記録装置
１４    キャリッジ装置
１６    インクジェット記録ヘッド（記録ヘッドユニット）
１８    キャリッジ
４４    収容部
５２    レバー（回動部材、固定部材）
５６    位置決め突起（基準部材）
５８    板ばね（付勢部材）
６２    カム（回動部材、固定部材）
８０    基準突起（基準部材）
８４    基準突起（基準部材）
８６    基準突起（基準部材）
８８    基準突起（基準部材）
９２    ピン（付勢部材）
９６    係合突起（係合部）
【図１】
0003991584.tif 000002
【図２】
0003991584.tif 000003
【図３】
0003991584.tif 000004
【図４】
0003991584.tif 000005
【図５】
0003991584.tif 000006
【図６】
0003991584.tif 000007
【図７】
0003991584.tif 000008
【図８】
0003991584.tif 000009
【図９】
0003991584.tif 000010
【図１０】
0003991584.tif 000011
【図１１】
0003991584.tif 000012
【図１２】
0003991584.tif 000013
【図１３】
0003991584.tif 000014
【図１４】
0003991584.tif 000015